(57)【要約】【課題】第１光源ユニットと第２光源ユニットの過度の温度上昇を抑制することができる照明装置を提供する。【解決手段】照明装置１は長尺な第１光源ユニット２１と、第１光源ユニット２１の長手方向一端側に取り付けられた第２光源ユニット２２と、第１光源ユニット２１と第２光源ユニット２２との間に配され、長手方向と交差する向きに外部と連通する第１通気孔４２を有する第１放熱ユニット４とを備える。【選択図】図２
2020095858.tif 000002
【特許請求の範囲】
【請求項１】
長尺な第１光源ユニットと、
前記第１光源ユニットの長手方向一端側に取り付けられた第２光源ユニットと、
前記第１光源ユニットと前記第２光源ユニットとの間に配され、前記長手方向と交差する向きに外部と連通する第１通気孔を有する第１放熱ユニットと
を備える照明装置。
【請求項２】
前記第１放熱ユニットは、前記第２光源ユニットと前記第１光源ユニットとを接続する複数の第１固定部を有し、
前記複数の第１固定部は、互いに間隔をあけて配され、
前記複数の第１固定部間の空間は、前記第１通気孔を形成する
請求項１に記載の照明装置。
【請求項３】
前記第１光源ユニットの長手方向の他端側に取り付けられた口金部と、
前記第１光源ユニットと前記口金部との間に配され、前記長手方向と交差する向きに外部と連通する第２通気孔を有する第２放熱ユニットを備える
請求項１又は２に記載の照明装置。
【請求項４】
前記第２放熱ユニットは、前記口金部と前記第１光源ユニットとを接続する複数の第２固定部を有し、
前記複数の第２固定部は、互いに間隔をあけて配され、
前記複数の第２固定部間の空間は、前記第２通気孔を形成する
請求項３に記載の照明装置。
【請求項５】
前記第２光源ユニットは、
基板上に発光素子が配されてなる発光モジュールと、
前記発光モジュールが載置される基台と、
前記発光モジュールと前記基台との間に、双方に接触して配された熱伝導部材と
を有する請求項１から４の何れかに記載の照明装置。
【請求項６】
前記複数の第１固定部のうちの少なくとも１つは、前記基板と前記第１光源ユニットとの間を連通する第１連通空間の一部を有し、
前記長手方向に貫通し、前記第１連通空間の一部を構成する貫通孔を有するパッキンの少なくとも一部が、前記第１連通空間内に配され、
前記パッキンは、前記貫通孔を除いて前記第１連通空間を閉塞している
請求項２に記載の照明装置。
【請求項７】
前記パッキンは、前記長手方向の長さを有する胴部と、
前記胴部に連なって前記長手方向一端側に配された鍔部と、
前記長手方向の長さを有し、前記胴部に連なって前記長手方向一端側に配された頭部とを有し、
前記鍔部は、前記胴部又は前記頭部の前記長手方向の中心軸から離れる方向に前記胴部からフランジ状に突出する形状を有し、
前記長手方向に沿った方向に見た場合に、前記第１連通空間の全体は、前記鍔部の内側に位置している
請求項６に記載の照明装置。
【請求項８】
前記第１連通空間は、前記長手方向一端側の一端側第１連通空間と、前記長手方向他端側の他端側第１連通空間とを含み、
前記一端側第１連通空間は、前記基台の前記長手方向他端側の面と前記基板とを連通し、
前記他端側第１連通空間は、前記少なくとも１つの第１固定部に設けられ、
前記頭部は、前記一端側第１連通空間内に配され、
前記胴部は、前記他端側第１連通空間内に配され、
前記貫通孔は、前記一端側第１連通空間と、前記他端側第１連通空間とを連通し、
前記鍔部は、前記第１光源ユニットと前記少なくとも１つの第１固定部とに挟まれている
請求項７に記載の照明装置。
【請求項９】
前記鍔部は、前記長手方向一端側の第１面と、前記長手方向他端側の第２面とを有し、
前記第１面及び前記第２面のうちの少なくとも一方には、前記長手方向に凸のリブが設けられている
請求項７又は８に記載の照明装置。
【請求項１０】
前記リブは、前記第１面及び前記第２面の両方に設けられている
請求項９に記載の照明装置。
【発明の詳細な説明】
【技術分野】
【０００１】
本発明は、第１光源ユニットと第２光源ユニットを備える照明装置に関する。
【背景技術】
【０００２】
近年、環境意識の高まりから、省電力化に優れたＬＥＤを光源に使用した照明装置が提案されている（例えば特許文献１）。特許文献１に開示のＬＥＤ照明装置は、多角形の断面形状を有する筒部と錐状の錐状部とを有する支持部材の外面に発光ダイオードを実装した発光ダイオードユニットと、前記発光ダイオードユニットを内部に配置する円筒状のガラスバルブとを備える。発光ダイオードユニットは、その全体がガラスバルブ内に密閉されている。
【先行技術文献】
【特許文献】
【０００３】
【特許文献１】特開２０１３−１２３０２７号公報
【発明の概要】
【発明が解決しようとする課題】
【０００４】
上述の照明装置では、発光ダイオードユニットの全体がガラスバルブ内に密閉されているため、発光ダイオードから発せられる熱がガラスバルブ内にこもりやすく、発光部の温度が過度に上昇する傾向がある。
本発明は、発光部の過度の温度上昇を抑制可能な照明装置を提供することを目的とする。
【課題を解決するための手段】
【０００５】
本発明に係る照明装置は、長尺な第１光源ユニットと、前記第１光源ユニットの長手方向一端側に取り付けられた第２光源ユニットと、前記第１光源ユニットと前記第２光源ユニットとの間に配され、前記長手方向と交差する向きに外部と連通する第１通気孔を有する第１放熱ユニットとを備える。
【発明の効果】
【０００６】
上述の構成によれば、第１光源ユニットと第２光源ユニットとの間に設けられた第１通気孔を通って空気が流れることができるため、第１光源ユニット及び第２光源ユニットの放熱性が向上し、過度の温度上昇を抑制することができる。
【図面の簡単な説明】
【０００７】
【図１】実施形態に係る照明装置の外観斜視図である。
【図２】実施形態に係る照明装置の側面図である。
【図３】実施形態に係る照明装置の分解斜視図である。
【図４】実施形態に係る照明装置の縦断面図である。
【図５】実施形態に係る照明装置から第２光源ユニットを取り除いた状態を示す斜視図である。
【図６】（ａ）は、実施形態に係るパッキンの外観斜視図である。（ｂ）は、実施形態に係るパッキンの断面図である。（ｃ）は、実施形態に係るパッキンの側面図である。
【図７】内筒、外筒及び口金部との接続をするための分解斜視図である。
【発明を実施するための形態】
【０００８】
＜概要＞
実施形態の一態様に係る照明装置は、長尺な第１光源ユニットと、前記第１光源ユニットの長手方向一端側に取り付けられた第２光源ユニットと、前記第１光源ユニットと前記第２光源ユニットとの間に配され、前記長手方向と交差する向きに外部と連通する第１通気孔を有する第１放熱ユニットとを備える。これにより、第１通気孔を通って空気が流れることができるため、第１光源ユニット及び第２光源ユニットの温度上昇を抑制することができる。
【０００９】
実施形態の別態様に係る照明装置において、前記第１放熱ユニットは、前記第２光源ユニットと前記第１光源ユニットとを接続する複数の第１固定部を有し、前記複数の第１固定部は、互いに間隔をあけて配され、前記複数の第１固定部間の空間は、前記第１通気孔を形成する。したがって、第１固定部により第２光源ユニットに対して第１光源ユニットが安定的に支持される。また、第１貫通孔が複数形成されるため、上記温度上昇抑制効果をより高めることができる。
【００１０】
実施形態の別態様に係る照明装置において、前記第１光源ユニットの長手方向の他端側に取り付けられた口金部と、前記第１光源ユニットと前記口金部との間に配され、前記長手方向と交差する向きに外部と連通する第２通気孔を有する第２放熱ユニットを備える。これにより、第２通気孔を通って空気が流れることができるため、第１光源ユニットの温度上昇をさらに抑制することができる。
【００１１】
実施形態の別態様に係る照明装置において、前記第２放熱ユニットは、前記口金部と前記第１光源ユニットとを接続する複数の第２固定部を有し、前記複数の第２固定部は、互いに間隔をあけて配され、前記複数の第２固定部間の空間は、前記第２通気孔を形成する。したがって、第２固定部により口金部に対して第１光源ユニットが安定的に支持される。また、第２貫通孔が複数形成されるため、上記温度上昇抑制効果をさらに高めることができる。
【００１２】
実施形態の別態様に係る照明装置において、前記第２光源ユニットは、基板上に発光素子が配されてなる発光モジュールと、前記発光モジュールが載置される基台と、前記発光モジュールと前記基台との間に、双方に接触して配された熱伝導部材とを有する。これにより、発光素子で発生した熱を、熱伝導部材を介して基台へと伝えることができ、発光素子の温度上昇を抑制することができる。
【００１３】
実施形態の別態様に係る照明装置において、前記複数の第１固定部のうちの少なくとも１つは、前記基板と前記第１光源ユニットとの間を連通する第１連通空間の一部を有し、前記長手方向に貫通し、前記第１連通空間の一部を構成する貫通孔を有するパッキンの少なくとも一部が、前記第１連通空間内に配され、前記パッキンは、前記貫通孔を除いて前記第１連通空間を閉塞している。これにより、第１光源ユニットの発光素子に電力を供給するためのケーブルを、貫通孔を通って配線することができる。また、第１連通空間の配線経路（貫通孔）以外の部分は、パッキンにより密閉することができ、外部からの水分や埃等の異物の侵入を抑制することができる。
【００１４】
実施形態の別態様に係る照明装置において、前記パッキンは、前記長手方向の長さを有する胴部と、前記胴部に連なって前記長手方向一端側に配された鍔部と、前記長手方向の長さを有し、前記胴部に連なって前記長手方向一端側に配された頭部とを有し、前記鍔部は、前記胴部又は前記頭部の前記長手方向の中心軸から離れる方向に前記胴部からフランジ状に突出する形状を有し、前記長手方向に沿った方向に見た場合に、前記第１連通空間の全体は、前記鍔部の内側に位置している。これにより、鍔部が第１連通空間を確実に閉塞することができ、外部からの水分や埃等の異物の侵入を抑制することができる。
【００１５】
実施形態の別態様に係る照明装置において、前記第１連通空間は、前記長手方向一端側の一端側第１連通空間と、前記長手方向他端側の他端側第１連通空間とを含み、前記一端側第１連通空間は、前記基台の前記長手方向他端側の面と前記基板とを連通し、前記他端側第１連通空間は、前記少なくとも１つの第１固定部に設けられ、前記頭部は、前記一端側第１連通空間内に配され、前記胴部は、前記他端側第１連通空間内に配され、前記貫通孔は、前記一端側第１連通空間と、前記他端側第１連通空間とを連通し、前記鍔部は、前記第１光源ユニットと前記少なくとも１つの第１固定部とに挟まれている。これにより、少なくとも１つの第１固定部にパッキンを配することができるため、パッキン配置のための別部材を設ける必要がなく、部品点数の増加を抑制し、生産性及びコストに資することができる。また、鍔部が第１光源ユニットと少なくとも１つの第１固定部とに挟まれているため、第１連通空間をより確実に閉塞することができ、外部からの水分や埃等の異物の侵入をより確実に抑制することができる。
【００１６】
実施形態の別態様に係る照明装置において、前記鍔部は、前記長手方向一端側の第１面と、前記長手方向他端側の第２面とを有し、前記第１面及び前記第２面のうちの少なくとも一方には、前記長手方向に凸のリブが設けられている。これにより、リブが、第１光源ユニット及び少なくとも１つの第１固定部のうちの少なくとも一方に密着して密閉性をより高め、外部からの水分や埃等の異物の侵入をより確実に抑制することができる。
【００１７】
実施形態の別態様に係る照明装置において、前記リブは、前記第１面及び前記第２面の両方に設けられている。これにより、リブが、第１光源ユニット及び少なくとも１つの第１定部の両方に密着して密閉性をより高め、外部からの水分や埃等の異物の侵入をさらに確実に抑制することができる。
【００１８】
照明装置において、前記リブは、前記胴部又は前記頭部の前記長手方向に沿った軸の周りを連続的に囲む形状を有する。これにより、リブが、周方向に連続して密着し、密閉性をより高めるため、外部からの水分や埃等の異物の侵入をさらに確実に抑制することができる。
【００１９】
照明装置において、前記複数の第２固定部のうちの少なくとも１つは、前記第１光源ユニットと前記口金部との間を前記長手方向に連通する第２連通空間を有し、前記第１連通空間及び前記第２連通空間は、前記長手方向に沿った一直線上に配されている。これにより、第１連通空間と第２連通空間とを通る配線経路を直線状とすることができ、ケーブルを容易に配線することができる。
【００２０】
照明装置において、前記第１光源ユニットは、前記第１光源ユニットの前記一直線上に、前記第１連通空間と前記第２連通空間とを連通する第３連通空間を有する。これにより、第１連通空間、第３連通空間、及び第２連通空間を通る直線状の配線経路が確実に形成され、ケーブルをより容易に配線することができる。
【００２１】
１．全体構成
本実施形態に係る照明装置１の概要について主に図１〜図４を用いて説明する。
図１は、照明装置１の外観斜視図である。図２は、照明装置１の側面図である。
図１及び図２に示されるように、照明装置１は、発光ユニット２、口金部３、第１放熱ユニット４、及び第２放熱ユニット５からなる。
【００２２】
発光ユニット２は、長尺な形状を有する第１光源ユニット２１と、第１光源ユニット２１の長手方向一端側に配された第２光源ユニット２２からなる。本実施形態では、第１光源ユニット２１は、円筒形である。
【００２３】
口金部３は、第１光源ユニット２１の長手方向他端側に配されている。口金部３は、口金３１、アダプタ３２、及び受け部３３からなる。受け部３３は、第２放熱ユニット５を介して発光ユニット２に接続されている。アダプタ３２は、口金３１と受け部３３との間を連結している。
【００２４】
第１放熱ユニット４は、第１光源ユニット２１と第２光源ユニット２２との間に設けられ、双方を接続している。
【００２５】
第２放熱ユニット５は、第１光源ユニット２１と口金部３（受け部３３）との間に設けられ、双方を接続している。
【００２６】
２．光源部
２−１．第１光源ユニット
図３は、照明装置１の分解斜視図である。図４は、図１のＡ−Ａ線及び第１光源ユニット２１の軸心線を含む平面による断面図である。
図３に示されるように、第１光源ユニット２１は、主な要素として、内筒２１１、発光モジュール２１２、及び外筒２１３を有する。発光モジュール２１２は、筒状の基板２１４と、基板２１４の外周面上に互いに間隔をあけて配された複数の発光素子２１５を有する。
【００２７】
本実施形態の基板２１４は、例えば、互いに間隔をあけて配された複数の金属板からなり、横断面が八角形状の筒状部材である。しかし、これに限られず、基板２１４は、断面が、例えば、三角形や四角形の筒状部材であってもよいし、円筒状であってもよい。
また、基板２１４の左右方向に間隔を設けて形成された屈曲部分（八角形の屈曲部分）には、例えば、樹脂等の補強部を上下方向に設けてもよい。
【００２８】
本実施形態の発光素子２１５は、例えば、ＬＥＤ素子であって、上下方向に間隔をあけて配された隣接する一対の金属板にまたがるように実装されている。これにより、上下方向に隣接する金属板が、ＬＥＤにより連結される。なお、発光素子２１５は、ＬＥＤ素子に限られず、例えば、レーザーダイオード、有機ＥＬ素子、有機ＥＬパネル等が用いられてもよい。
【００２９】
内筒２１１は、基板２１４の内側（筒軸側）に配される内筒本体２１６及び内筒本体２１６の一端側に配されたフランジ２１７を有する。ここでの内筒２１１は、内筒本体２１６の他端に配された取付部２１９を有する。
フランジ２１７の一端側には、複数の第１固定部４１が設けられている。本実施形態では、内筒本体２１６、フランジ２１７、及び第１固定部４１は、一体的に形成されており、例えば、樹脂等の絶縁性の材料からなる。
本実施形態では、複数の第１固定部４１が、一体的に形成された例を示したが、別体的に設けられてもよい。
また、複数の第１固定部４１は、一体的に設けられる場合も別体的に設けられる場合も光を効率的に出射させるために樹脂等の透光性の材料から構成されていればよい。
取付部２１９は、内筒本体２１６の他端から筒軸に向かって張り出す張出部分２１９ａと、張出部分２１９ａの貫通孔２１９ｂとを有する。貫通孔２１９ｂには、図４に示すねじ８１が挿通する。
【００３０】
外筒２１３は、筒状の部材であって、ガラス、樹脂等の透光性の材料からなる。外筒２１３の内側には、発光モジュール２１２及び内筒本体２１６が挿入されている。本実施形態の外筒２１３は、例えば、円筒状である。発光モジュール２１２から発せられた光は、外筒２１３を透過して、第１光源ユニット２１の側方、即ち、第１光源ユニット２１の長手方向に直交する方向に照射される。
【００３１】
外筒２１３の他端側には、第２固定部５１が配されている。本実施形態では、第２固定部５１の他端側に、これら複数の第２固定部５１を連結するように円盤状の円盤部分５３と、円盤部分５３の周縁から口金部３側にリング状に張り出す張出部分５４が設けられている。
本実施形態では、複数の第２固定部５１が、一体的に形成された例を示したが、別体的に設けられてもよい。
また、複数の第２固定部５１は、一体的に設けられる場合も別体的に設けられる場合も光を効率的に出射させるために樹脂等の透光性の材料から構成されていればよい。
外筒２１３は、内筒２１１を取り付けるための取付部５５を円盤部分５３に有する。取付部５５は、ボス５５ａと、ボス５５ａに形成されたねじ孔５５ｂとで構成され、内筒２１１の取付部２１９の貫通孔２１９ｂを挿通するねじ８１が螺合する。
なお、第２固定部５１は、換言すると、外筒２１３と円盤部分５３とを周方向に間隔を置いて接続する。
【００３２】
外筒２１３は、口金部３と結合するための結合部５６を円盤部分５３に有する。結合部５６は、口金部３のアダプタ３２の中心軸に沿って延伸する筒部３２１と嵌合する筒部分５６ａと、円盤部分５３の貫通孔５６ｂとで構成され、貫通孔５６ｂを挿通するねじ８３がアダプタ３２の筒部３２１のねじ孔に螺合する。
張出部分５４は、図４の拡大図にも示すように、口金部３の受け部３３の受け溝３３ａ内に収容される。
本実施形態では、外筒２１３、第２固定部５１、円盤部分５３及び張出部分５４は、一体的に形成されている。
【００３３】
２−２．第２光源ユニット
第２光源ユニット２２は、主な構成要素として、発光モジュール２２１、基台２２２、及びカバー２２３を有する。
【００３４】
発光モジュール２２１（図３）は、主な構成要素として、発光素子２２１ａ及び基板２２１ｂとを有する。
本実施形態の発光素子２２１ａは、例えば、ＬＥＤ素子である。しかし、これに限られず、例えば、レーザーダイオード、有機ＥＬ素子、有機ＥＬパネル等が用いられてもよい。
【００３５】
基板２２１ｂは、例えば、樹脂等の電気絶縁性の材料からなる。基板２２１ｂの一端側の面上には、複数の発光素子２２１ａが配されている。
なお、本実施形態では、基板２２１ｂは、一枚の電気絶縁板から構成された基板を例示したが、複数の金属板を円形状に隣接するように配置し、複数の金属板同士を複数の発光素子２２１aで連結してもよい。
【００３６】
基台２２２は、一端側に平坦面を有し、当該平坦面上に発光モジュール２２１が載置される。基台２２２は、例えば、金属等の良好な熱伝導性を有する材料からなるのが好ましい。本実施形態では、例えば、発光モジュール２２１と基台２２２との間に、良好な熱伝導性を有する熱伝導部材２２２ａが配されている。熱伝導部材２２２ａとして、例えば、熱伝導性を有するグリスやヒートシンクを用いることができる。熱伝導部材２２２ａは、発光モジュール２２１の基板２２１ｂの発光素子２２１ａが配されている面とは反対側の面と、基台２２２との双方に接触して配されている。これにより、発光素子２２１ａで発生した熱を、熱伝導部材２２２ａを介して、効率的に基台２２２側へと伝導させることができる。
また、別例としては、基台２２２は、ＰＣ等の樹脂製の材質または高反射ＰＣ等で構成されてもよい。
【００３７】
発光モジュール２２１の一端側には、カバー２２３が配される。本実施形態のカバー２２３は、例えば、ドーム状であって、発光モジュール２２１を覆うように基台２２２に取り付けられている。カバー２２３は、ガラスや樹脂等の透光性の材料からなる。これにより、発光素子２２１ａから発せられた光を、一端側に照射させることができる。
【００３８】
３．口金部
口金３１は、金属等の導電性の材料からなり、ソケットに装着されて、発光ユニット２を発光させるための電源を外部から受けるためのものである。アダプタ３２及び受け部３３は、例えば樹脂等の電気絶縁性の材料からなる。
図４に示されるように、本実施形態の照明装置１では、口金３１を介して外部から受け入れた電力を、発光素子２１５及び２２１ａを発光させるための電力に変換する回路３４が、アダプタ３２内部に配されている。
【００３９】
４．第１放熱ユニット
第１放熱ユニット４は、複数の第１固定部４１を有する。複数の第１固定部４１は、第１光源ユニット２１の周方向に互いに間隔をあけて配されている。隣り合う第１固定部４１間の空間は、それぞれ、第１通気孔４２を形成している。これにより、第１通気孔４２を通って空気が流れることができ、当該空気と第１光源ユニット２１及び第２光源ユニット２２との間で熱交換が行われる。したがって、第１放熱ユニット４が設けられていない場合と比較して、第１光源ユニット２１及び第２光源ユニット２２の放熱性を向上させることができ、発光ユニット２の過度の温度上昇を抑制することができる。なお、図面において、空間を示す引き出し線は、空間の奥に存在する部材と区別するために、矢印としている。
【００４０】
５．第２放熱ユニット
第２放熱ユニット５は、複数の第２固定部５１を有する。複数の第２固定部５１は、第１光源ユニット２１の周方向に互いに間隔をあけて配されている。隣り合う第２固定部５１間の空間は、それぞれ、第２通気孔５２を形成している。これにより、第２通気孔５２を通って空気が流れることができ、当該空気と第１光源ユニット２１との間で熱交換が行われる。したがって、第２放熱ユニット５が設けられていない場合と比較して、第１光源ユニット２１の放熱性を向上させることができ、第１光源ユニット２１の過度の温度上昇をさらに抑制することができる。
【００４１】
６．配線
図４に示されるように、照明装置１は、口金部３と第１光源ユニット２１及び第２光源ユニット２２とを電気的に接続し、口金３１で受電した電力を、発光素子２１５、２２１ａに伝達してこれらの発光素子を発光させるためのケーブル７を有する。ケーブル７は、例えば、金属等の良好な導電性を有する材料からなる導電線である。ケーブル７は、好ましくは、樹脂等の電気絶縁性の材料により被覆されている。
【００４２】
本実施形態の照明装置１は、ケーブル７の配線経路の一部として、例えば、第１光源ユニット２１と第２光源ユニット２２とを連通する第１連通空間４１１を有する。第１連通空間４１１は、一端側の一端側第１連通空間４１１ａ及び他端側の他端側第１連通空間４１１ｂを含む。
一端側第１連通空間４１１ａは、基板２２１ｂの発光素子２２１ａが配されている側の面（一端側の面）と、基台２２２の他端側の面との間を連通している。本実施形態では、図３に示されるように、基板２２１ｂ及び基台２２２の淵部の一部が切り欠かれ、当該切欠き部２２１ｂ１、２２２ｂが一端側第１連通空間４１１ａを形成している。
【００４３】
図５は、第２光源ユニット２２を取り除いた状態の照明装置１を示す斜視図である。図５に示されるように、複数の第１固定部４１のうちの少なくとも１つは、長手方向に連通する貫通孔を有し、当該貫通孔は、他端側第１連通空間４１１ｂを構成している。本実施形態では、他端側第１連通空間４１１ｂを有する第１固定部４１は、四角筒状であり、図５では、符号４１Ａで示されている。
一端側第１連通空間４１１ａ及び他端側第１連通空間４１１ｂ内には、パッキン６が配される。
【００４４】
図６（ａ）は、パッキン６の外観斜視図である。図６（ｂ）は、パッキン６の縦断面図である。図６（ｃ）は、パッキン６の側面図である。
図６（ａ）に示されるように、本実施形態のパッキン６は、胴部６１、鍔部６２、及び頭部６３からなる。鍔部６２は、胴部６１の一端側に連なって配され、頭部６３は、鍔部６２の一端側に連なって配されている。本実施形態のパッキン６は、全体として前記長手方向に長尺な形状を有する。鍔部６２は、胴部６１及び頭部６３から前記長手方向周りの全周に連続してフランジ状に突出している。
【００４５】
図６（ａ）及び図６（ｂ）に示されるように、パッキン６は、長手方向に貫通する貫通孔６４を有する。本実施形態のパッキン６は、２つの貫通孔６４を有する。
本実施形態の胴部６１は、他端側第１連通空間４１１ｂにフィットする形状、即ち、略四角柱状の形状を有し、他端側第１連通空間４１１ｂ内に嵌めこまれている。本実施形態の頭部６３は、胴部６１と同様の形状を有し、一端側第１連通空間４１１ａ内に嵌めこまれている。
【００４６】
また、鍔部６２は、胴部６１及び頭部６３からフランジ状に突出しているため、長手方向の軸に沿った方向に見た場合に、一端側第１連通空間４１１ａ及び他端側第１連通空間４１１ｂは、その全体が鍔部６２の内部に存在している。
したがって、鍔部６２は、第２光源ユニット２２と他端側第１連通空間４１１ｂを有する第１固定部４１との間に挟まれるため、第１連通空間４１１は、貫通孔６４を除いて、パッキン６により閉塞されている。そして、ケーブル７が、貫通孔６４内を通って配されている。
【００４７】
また、鍔部６２が第２光源ユニットと他端側第１連通空間４１１ｂを有する第１固定部４１との間に密閉状態で挟まれていることにより密閉性が増し、これにより、外部からの湿気や埃等の異物の進入を防ぐことができる。
【００４８】
図６（ａ）〜（ｃ）に示されるように、鍔部６２は、長手方向一端側の第１面６２１及び他端側の第２面６２２を有する。第１面６２１上には、長手方向一端側に凸のリブ６５が設けられている。第２面６２２上には、長手方向他端側に凸のリブ６６が設けられている。
リブ６５及びリブ６６は、それぞれ、パッキン６の長手方向の中心軸Ｐの周りを囲むように、鍔部６２の外周に沿って連続的に設けられている。リブ６５が、その全周にわたって基台２２２の長手方向他端側の面に押し付けられて密着することにより、一端側第１連通空間４１１ａは、より確実に密閉される。当然、リブ６６が、その全周にわたって第１固定部４１の長手方向一端側の端面に押し付けられて密着することにより、他端側第１連通空間４１１ｂが、より確実に密閉される。
尚、リブ６５と接触する基台２２２の長手方向他端側の面に凹部を設けてもよい。
加えて、リブ６６と接触する第１固定部４１の長手方向一端側の端面に凹部を設けてもよい。
リブ６５、リブ６６の凸部が、基台２２２、第１固定部の一端側の端面の凹部に嵌合することで、より確実に密閉される。
【００４９】
なお、本実施形態のパッキン６は、リブ６５及び６６を有するが、これに限られない。例えば、鍔部６２の第１面６２１及び第２面６２２のうちの何れか一方のみを有する構成でもよいし、何れも備えない構成でもよい。何れの場合であっても、鍔部のリブが設けられていない面が第２光源ユニット２２及び／又は第１固定部４１に密着するように固定されることによって、上記密閉効果を得ることができる。
また、本実施形態のリブ６５及び６６は、軸Ｐの周りを囲むように連続的に形成されているが、これに限られない。例えば、一部に切れ目や欠けを有していてもよい。この場合でも、押し付けられた際に、リブが変形して当該切れ目や欠けが塞がるような態様であれば、密閉性を確保することができる。
【００５０】
なお、貫通孔６４のうち、鍔部６２に形成された部分については、一端側第１連通空間４１１ａ及び他端側第１連通空間４１１ｂの何れか一方に属するとしてもよいし、どちらにも属さないとしてもよい。
【００５１】
図４に示されるように、第２固定部５１のうちの少なくとも１つには、第１光源ユニット２１と口金部３とを連通する第２連通空間５１１が設けられている。
また、第１連通空間４１１と、第２連通空間５１１とは、照明装置１の長手方向に沿った直線Ｌ上に配されている。これにより、配線の乱雑化を抑制することができる。さらには、ケーブルを短くすることができる。
【００５２】
さらには、第１光源ユニット２１は、第３連通空間２１８を有する。本実施形態では、第３連通空間２１８は、好ましくは、内筒２１１と外筒２１３との間に、直線Ｌ上に配されている。これにより、一直線上に並んだ第１連通空間４１１、第３連通空間２１８、第２連通空間５１１を通ってケーブル７を配することができ、配線の乱雑化をより一層抑制することができる。
【００５３】
また、第３連通空間２１８には、基板２１４及び発光素子２１５が配されていないことが好ましい。これにより、配線をより容易に行うことができる。さらには、配線時や使用中に、ケーブル７が基板２１４や発光素子２１５と接触することによるこれらの損傷を防ぐことができる。
さらには、ケーブルによる影の発生を抑制することができる。
【００５４】
なお、本実施形態では、直線Ｌは、照明装置１の長手方向の軸Ｘ（図１では、照明装置１の中心軸）に沿った直線であるが、これに限られない。例えば、第１連通空間４１１、第３連通空間２１８、第２連通空間５１１が、軸Ｘと角度を有して交わる直線上に配されていてもよい。また、第３連通空間２１８が、外筒２１３の内周面に沿ってのびる緩やかな螺旋の一部として構成されていてもよい。これらの場合であっても、配線の乱雑化を抑制することができる。ただし、軸Ｘとなす角度や螺旋の角度は小さい方が好ましい。上記角度が大きすぎると、配線経路が長くなったり、他の部材と干渉しやすくなったりといった問題が生じる虞があるためである。
【００５５】
７．効果
照明装置１を点灯させて、第１放熱ユニット４と第２放熱ユニット５の効果を確認した。確認試験は、２５℃環境下で定常点灯させた際の第１光源ユニット２１の基板２１４と第２光源ユニット２２の基板２２１ｂの温度を測定した。その結果を表１に示す。ここでは、照明装置１の長手方向を上下方向とし、口金部を上側としている。
第１光源ユニット２１について測定部位は、長手方向の上部、中央、下部の３か所である。第２光源ユニット２２についての測定部位は、円形状に似た基板２２１ｂの内周近傍と、外周近傍２箇所である。
第１放熱ユニット４及び第２放熱ユニット５を開放したタイプ１では、第１放熱ユニット４と第２放熱ユニット５を閉塞したタイプ３に対して、温度が８．９〜１７．５℃低くなっており、第１放熱ユニット４と第２放熱ユニット５の放熱効果が大きいことが分かる。
また、第１放熱ユニット４を閉塞し、第２放熱ユニット５を開放したタイプ２においても、タイプ３に対して、温度が０．１〜１．３℃低くなっており、第１放熱ユニット４が第２放熱ユニット５よりも効果が大きいことが分かる。
なお、以上の結果から、照明装置は、第１放熱ユニット４を備えることが好ましい。
【００５６】
【表１】
2020095858.tif 000003
【符号の説明】
【００５７】
１    照明装置
２    光源部
３    口金部
４    第１放熱ユニット
５    第２放熱ユニット
６    パッキン
７    ケーブル
２１    第１光源ユニット
２２    第２光源ユニット
３１    口金
３２    アダプタ
３３    受け部
３４    回路
４１    第１固定部
４２    第１通気孔
５１    第２固定部
５２    第２通気孔
５３    リンク部分
６１    胴部
６２    鍔部
６３    頭部
６４    貫通孔
６５    リブ
６６    リブ
２１１    内筒
２１２    発光部
２１３    外筒
２１４    基板
２１５    発光素子
２１６    内筒本体
２１７    フランジ
２１８    第３連通空間
２２１    発光部
２２１ａ  発光素子
２２１ｂ  基板
２２２    基台
２２２ａ  熱伝導部材
２２３    カバー
４１１    第１連通空間
４１１ａ  一端側第１連通空間
４１１ｂ  他端側第１連通空間
５１１    第２連通空間
６２１    第１面
６２２    第２面
【図１】
2020095858.tif 000004
【図２】
2020095858.tif 000005
【図３】
2020095858.tif 000006
【図４】
2020095858.tif 000007
【図５】
2020095858.tif 000008
【図６】
2020095858.tif 000009
【図７】
2020095858.tif 000010